(57)【特許請求の範囲】
【請求項１】
前部に相手方端子に対して接続するための電気接続部を有し、その後部に、底板部と、該底板部の両側縁から上方に延長した一対の側壁部とを有する断面視略Ｕ字状に形成された電線接続部を有する端子を用い、電線の端末部を前記端子の電線接続部に挿入し、前記底板部の上面の前側に電線の端末部の絶縁被覆を除去して露出させた導体を載せると共に、前記底板部の上面の後側に電線の端末部の絶縁被覆部分を載せ、その状態で、前記導体と底板部を溶接により接合してなる端子の電線に対する接続構造であって、
前記電線接続部に挿入した前記電線の端末部の少なくとも前記導体部分を金属製のカバー部材で覆い、前記カバー部材ごと前記導体と前記底板部とを溶接により接合してなる端子の電線に対する接続構造において、
前記カバー部材が、前記電線の端末部の導体の先端面を覆う前端壁を残して、後端壁から電線挿入溝を形成した略直方体ブロックとして構成されていることを特徴とする端子の電線に対する接続構造。
【請求項２】
前記カバー部材が、前記電線の端末部の前記導体の先端面から絶縁被覆部分までを覆うことを特徴とする請求項１に記載の端子の電線に対する接続構造。
【請求項３】
前記カバー部材が、前記端子の材料と同じ材料で形成されていることを特徴とする請求項１または２に記載の端子の電線に対する接続構造。
【発明の詳細な説明】
【技術分野】
【０００１】
本発明は、端子の電線に対する接続構造に関するものである。
【背景技術】
【０００２】
図６は、特許文献１に記載された端子と電線の接続構造を示している。
この端子１１０は、前部にバッテリ等に接続される電気接続部１１１を有すると共に、その後部に、電線Ｗの端末部に対して超音波溶接により接続される電線接続部１１２を有している。電線接続部１１２は、前側に位置する導体接続部１１４と、その後側に位置する被覆固定部１１５とを備えており、導体接続部１１４は、底板部１２１と、該底板部１２１の両側縁から上方に起立した一対の側壁部１２２とを有した断面Ｕ字状に形成されている。電線Ｗの端末は、絶縁被覆Ｗｂを除去して露出した導体Ｗａを導体接続部１１４の底板部１２１の上に載せ、絶縁被覆Ｗｂで覆われた部分を被覆固定部１１５に保持させ、その状態で、導体Ｗａを導体接続部１１４の底板部１２１に溶接することで、端子１１０と電気的および機械的に接続されている。
【先行技術文献】
【特許文献】
【０００３】
【特許文献１】特開２００７−１２３２９号公報
【発明の概要】
【発明が解決しようとする課題】
【０００４】
ところで、上述の従来の端子と電線の接続構造では、端子１１０に接続した電線Ｗの端末の導体Ｗａ部分が外に露出した状態のままになっているため、導体Ｗａに水分が付着した場合に、導体Ｗａが腐食しやすく、その結果、電気的接続信頼性が損なわれるおそれがあった。
【０００５】
本発明は、上述した事情に鑑みてなされたものであり、その目的は、電線接続部に水分が付着しようとしても、電線の導体までは水分が浸入しないようにして、電線の導体の腐食の問題を防ぎ、電気的接続信頼性が損なわれる心配を解消できるようにした端子の電線に対する接続構造を提供することにある。
【課題を解決するための手段】
【０００６】
前述した目的を達成するために、本発明に係る端子の電線に対する接続構造は、下記（１）〜（３）を特徴としている。
（１）前部に相手方端子に対して接続するための電気接続部を有し、その後部に、底板部と、該底板部の両側縁から上方に延長した一対の側壁部とを有する断面視略Ｕ字状に形成された電線接続部を有する端子を用い、電線の端末部を前記端子の電線接続部に挿入し、前記底板部の上面の前側に電線の端末部の絶縁被覆を除去して露出させた導体を載せると共に、前記底板部の上面の後側に電線の端末部の絶縁被覆部分を載せ、その状態で、前記導体と底板部を溶接により接合してなる端子の電線に対する接続構造であって、
前記電線接続部に挿入した前記電線の端末部の少なくとも前記導体部分を金属製のカバー部材で覆い、前記カバー部材ごと前記導体と前記底板部とを溶接により接合してなる端子の電線に対する接続構造において、前記カバー部材が、前記電線の端末部の導体の先端面を覆う前端壁を残して、後端壁から電線挿入溝を形成した略直方体ブロックとして構成されていること。
（２） 上記（１）の構成の端子の電線に対する接続構造において、前記カバー部材が、前記電線の端末部の前記導体の先端面から絶縁被覆部分までを覆うこと。
（３） 上記（１）または（２）の構成の端子の電線に対する接続構造において、前記カバー部材が、前記端子の材料と同じ材料で形成されていること。
【０００７】
上記（１）の構成の端子の電線に対する接続構造によれば、少なくとも導体部分を覆うように設けた金属製のカバー部材ごと、導体と端子の底板部を溶接により接合しているので、カバー部材によって導体の露出部分を全て覆い隠すことができ、もし水分が電線接続部に付着しようとしても、水分が導体まで浸入するのをカバー部材によって阻止することができる。従って、水分の付着による導体の腐食を防止することができ、端子と電線の接続信頼性を長期間にわたり維持することができる。
また、カバー部材を、電線の端末部の導体の先端面を覆う前端壁を残して、後端壁から電線挿入溝を形成しているので、電線接続部に電線の端末部をセットしてからカバー部材を被せることもできるし、先に電線接続部にカバー部材をセットしてから、直方体ブロックのトンネル状の電線挿入溝に電線の端末部を挿入することもできる。その場合は、カバー部材の前端壁がストッパ壁の機能をなすので導体の挿入位置を適切に設定することもできる。
上記（２）の構成の端子の電線に対する接続構造によれば、絶縁被覆の一部を導体と共にカバー部材で覆うので、導体を完全に被覆することができ、より確実に導体の腐食を防止することができる。
上記（３）の構成の端子の電線に対する接続構造によれば、カバー部材を端子の材料と同じ材料で形成するので、より確実に端子と電線を接続することができる。
【発明の効果】
【０００８】
本発明によれば、端子と電線の接続部に対して水分が付着しようとしても、電線の導体まで水分が浸入しないようにすることができ、電線の導体の腐食の問題を防ぐことができ、その結果、電気的接続信頼性が損なわれる心配を解消することができる。
【０００９】
以上、本発明について簡潔に説明した。更に、以下に説明される発明を実施するための形態を添付の図面を参照して通読することにより、本発明の詳細は更に明確化されるであろう。
【図面の簡単な説明】
【００１０】
【図１】本発明の実施形態の端子の電線に対する接続構造の分解斜視図である。
【図２】同接続構造に使用するカバー部材の構成図であって、（ａ）は斜視図、（ｂ）は（ａ）のＩＩｂ−ＩＩｂ矢視断面図である。
【図３】同カバー部材と電線の端末部を端子の電線接続部にセットした状態を示す斜視図である。
【図４】図３のようにセットした後に超音波溶接により、カバー部材と電線の導体と端子の底板部とを接合して接続構造を完成させた状態を示す斜視図である。
【図５】図４のＶ−Ｖ矢視断面図である。
【図６】従来の端子と電線の接続構造の一例を示す斜視図である。
【発明を実施するための形態】
【００１１】
以下、本発明の実施形態を図面を参照して説明する。
図１は実施形態の接続構造の分解斜視図、図２は同接続構造に使用するカバー部材の構成図であって、（ａ）は斜視図、（ｂ）は（ａ）のＩＩｂ−ＩＩｂ矢視断面図、図３は同カバー部材と電線の端末部を端子の電線接続部にセットした状態を示す斜視図、図４はセットした後に超音波溶接によりカバー部材と電線の導体と端子の底板部とを接合して接続構造を完成させた状態を示す斜視図、図５は図４のＶ−Ｖ矢視断面図である。
【００１２】
図１に示したように、この端子１０は、メス型のもので、前部に相手方端子等（不図示）に対して接続するための、バネ片内蔵でボックス型の電気接続部１１を有し、その後部に、繋ぎ部１３を介して、電線Ｗの端末部に対して接続される電線接続部１２を有している。
【００１３】
電線接続部１２は、前側に位置する導体溶接部１４と、その後側に位置する被覆保持部１５とを備えるものである。導体溶接部１４は、幅方向の全体が平坦になった底板部２１と、該底板部２１の両側縁から上方に延長した互いに略平行な一対の側壁部２２とを有する断面視略Ｕ字状に形成され、被覆保持部１５は、幅方向の全体が平坦になった底板部２３と、該底板部２３の両側縁から上方に延長した互いに略平行な一対の側壁部２４とを有する断面視略Ｕ字状に形成されている。導体溶接部１４から被覆保持部１５までの底板部２１，２３や側壁部２２，２４はそれぞれ連続した板状壁として形成されているが、被覆保持部１５を構成する側壁部２４の後端部は、電線Ｗに対する保持強度を上げるために内側にある程度曲げることができるようになっていてもよい。
【００１４】
実施形態の接続構造を得るには、図１〜図３に示したように、電線Ｗの端末部を端子１０の電線接続部１２に挿入し、導体溶接部１４の底板部２１の上面に電線Ｗの端末部の絶縁被覆Ｗｂを除去して露出させた導体Ｗａを載せると共に、被覆保持部１５の底板部２３の上面に電線Ｗの端末部の絶縁被覆Ｗｂで覆われた部分を載せる。また、電線接続部１２に電線Ｗの端末部を挿入する前または後に、電線Ｗの端末部の少なくとも導体Ｗａの先端面から絶縁被覆Ｗｂの付いた部分までの長さ範囲の上面から両側面を覆うことのできるサイズの金属製のカバー部材３０を、電線接続部１２にセットする。
【００１５】
この場合のカバー部材３０は、端子１０の材料と同じ銅製のものであり、電線Ｗの端末部の導体Ｗａの先端面を覆う前端壁３４を残して、後端壁から電線挿入溝３６を形成した略直方体ブロック３１として構成されている。つまり、この直方体ブロック３１は、図２（ａ）および（ｂ）に示したように、上壁３２と、両側壁３３と、前端壁３４と、トンネル状の電線挿入溝３６とを有し、下面が開放して、後端壁に電線挿入溝３６の入口３６Ａが開口した形状に形成されている。また、カバー部材３０は、電線接続部１２の底板部２１，２３と略等しいか僅かに短い幅として構成されており、電線接続部１２の側壁部２２，２４間に嵌め込み可能とされている。
【００１６】
このカバー部材３０を、図３に示したように、端子１０の電線接続部１２にセットした電線Ｗの端末部に覆い被せた状態で、例えば、端子１０の被覆保持部１５の側壁部２４に電線Ｗの絶縁被覆Ｗｂの付いた部分を固定し、超音波接続装置のアンビルの上に電線接続部１２の導体溶接部１４の底板部２１を載置し、カバー部材３０の上壁３２の上にホーンチップ（不図示）の端面を矢印Ｆのような力を入れながら押し当てて、ホーンチップから超音波振動を付与する。それにより、ホーンチップの押圧と超音波振動によって、図４および図５に示したように、カバー部材３０および導体Ｗａが塑性変形し、カバー部材３０ごと導体Ｗａと底板部２１とが超音波溶接されて、接合構造が完成する。
【００１７】
このように構成した接続構造によれば、導体Ｗａから絶縁被覆Ｗｂの付いた部分を覆うように設けた金属製のカバー部材３０ごと、導体Ｗａと端子１０の底板部２２を溶接により接合しているので、カバー部材３０によって導体Ｗａの露出部分を全て覆い隠すことができ、もし水分が電線接続部１２に付着しようとしても、水分が導体Ｗａまで浸入するのをカバー部材３０によって阻止することができる。従って、水分の付着による導体Ｗａの腐食を防止することができ、端子１０と電線Ｗの接続信頼性を長期間にわたり維持することができる。
【００１８】
また、カバー部材３０を、端子１０の材料と同じ銅製とし、しかも、電線Ｗの端末部の導体Ｗａの先端面を覆う前端壁３４を残して、後端壁からトンネル状の電線挿入溝３６を形成した、電線接続部１２の側壁部２２間に嵌まる直方体ブロック３１により構成しているので、電線接続部１２に電線Ｗの端末部をセットしてからカバー部材３０を被せることもできるし、先に電線接続部１２にカバー部材３０をセットしてから、直方体ブロック３１のトンネル状の電線挿入溝３６に電線Ｗの端末部を挿入することもできる。その場合は、カバー部材３０の前端壁３４がストッパ壁の機能をなすので、導体Ｗａの挿入位置を適切に設定することもできる。
【００１９】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２０】
Ｗ    電線
Ｗａ  導体
Ｗｂ  絶縁被覆
１０  端子
１２  電線接続部
１４  導体溶接部
１５  被覆保持部
２１  底板部
２２  側壁部
２３  底板部
２４  側壁部
３０  カバー部材
３４  前端壁
３６  電線挿入溝
【図１】
0005557377.tif 000002
【図２】
0005557377.tif 000003
【図３】
0005557377.tif 000004
【図４】
0005557377.tif 000005
【図５】
0005557377.tif 000006
【図６】
0005557377.tif 000007